(57)【要約】【課題】フィルム材を重ね合わせて形成した包装体に関し、容易に開封できるようにする。【解決手段】重ね合わされたフィルム材２，３の周縁同士を密着された密着部４，５，６の内側に収容部９が形成され、前記密着部４，５，６には易剥離処理が施されて、密着されたフィルム材２，３同士が剥離されることにより開封される包装体１Ａにつき、その周縁の一部に、前記密着部６の外側に前記フィルム材２，３同士が密着されずに相互に分離した開封開始部１０を設ける。【選択図】図１
2007197058.tif 000002
【特許請求の範囲】
【請求項１】
重ね合わされたフィルム材の周縁同士が密着されてなる密着部を有し、この密着部の内側が物品を収容させる収容部として形成され、
前記密着部には易剥離処理が施されて、密着されたフィルム材同士が剥離されることにより開封される包装体であって、
この包装体の周縁の一部には、前記フィルム材が相互に独立した状態で前記密着部の外側に張り出してなる開封開始部が設けられていることを特徴とする包装体。
【請求項２】
２枚の別個のフィルム材が相互に重ね合わされ、これらフィルム材の周縁に前記密着部が形成されたことを特徴とする請求項１に記載の包装体。
【請求項３】
１枚のフィルム材をその中央部で折り畳んで重ね合わせ、折り畳みにより形成される折り線の縁部以外の周縁部に前記密着部を形成し、
前記開封開始部を前記折り線と対辺をなす部分に設けたことを特徴とする請求項１に記載の包装体。
【発明の詳細な説明】
【技術分野】
【０００１】
本発明は、重ね合わされたフィルム材を相互に剥離させて開封する包装体に関する。
【背景技術】
【０００２】
従来から、２つの部材を重ね合わせ、その周縁同士を密着させて密着部を形成し、この密着部の内側を物品の収納部として構成した包装体がある。この包装体は、密着された部材を相互に分離することで開封する。即ち、この包装体では、密着部に易剥離処理が施されており、重ね合わされた部材を相互に分離すれば密着部が剥離されるように構成されている。
【０００３】
その代表例が、特許文献１に開示されている。この特許文献１に開示された包装体は、開口部の形成された容器と、この容器の開口部を密閉する蓋とから構成されている。開口部の周縁には外側方へ張り出すフランジが形成されており、蓋は、その周縁がフランジに密着される。そして、両者を密着させる手段として、一定の力で両者を引き離せば蓋が容器から剥離する、易剥離処理を施している。
【０００４】
また、フィルム材を重ね合わせ、その周縁同士を密着させて密着部を形成し、この密着部の内側を物品の収納部として構成する包装体も従来から知られている。この包装体を開封する場合、一般には包装体を切り裂いて開封していた。
【０００５】
【特許文献１】特開平６−４８４６８号公報
【発明の開示】
【発明が解決しようとする課題】
【０００６】
しかし、内部に収容される物品の大きさに対応させて包装体の大きさ自体をも小さくすると、開封しずらくなる。特に、手の大きな人が開封する場合や、濡れた手で開封する場合に開封しずらい。
【０００７】
他方、包装体を切り裂いて開封する場合には、包装体の内部に収納された物品も同時に切り裂いてしまい破損させる恐れもあった。
【０００８】
本発明は、かかる問題点に鑑みなされたものであり、フィルム材を重ね合わせて形成した包装体に関し、内容物を破損させることなく、しかも、容易に開封することができる包装体を提供することを目的とする。
【課題を解決するための手段】
【０００９】
本発明では、上記の課題を解決するために、重ね合わされたフィルム材の周縁同士が密着されてなる密着部を有し、この密着部の内側が物品を収容させる収容部として形成され、前記密着部には易剥離処理が施されて、密着されたフィルム材同士が剥離されることにより開封される包装体であって、この包装体の周縁の一部には、前記フィルム材が相互に独立した状態で前記密着部の外側に張り出してなる開封開始部が設けられている包装体を採用した。
【００１０】
このような包装体は、２枚の別個のフィルム材を相互に重ね合わせ、これらフィルム材の周縁に前記密着部を形成してもよいし、１枚のフィルム材をその中央部で折り畳んで重ね合わせ、折り畳みにより形成される折り線の縁部以外の周縁部に前記密着部を形成し、前記開封開始部を前記折り線と対辺をなす部分に設けてもよい。
【発明の効果】
【００１１】
本発明によれば、開封の取りかかりとなる開封開始部を設けることによって、重ね合わされたフィルム材を両手でそれぞれ個別に指で摘み易くすることができる。これによりフィルム材の分離を容易に行えるようにしている。
【００１２】
また、開封を容易に行えることに伴い、密着部の剥離強度を大きくして、密閉性を大幅に向上させることができる。
【発明を実施するための最良の形態】
【００１３】
以下、本発明の実施の形態について図面を参照しながら説明する。
【００１４】
図１〜図３は、本発明の一実施形態にかかる包装体１Ａを示している。
【００１５】
この包装体１Ａは、錠剤、コンタクトレンズ、避妊具等の小さな固体物品、シャンプー、ゼリー状又は液状の流体物品、並びに薬品や調味料等の粉体物品を収容するものである。
【００１６】
包装体１Ａは、矩形状の２枚のフィルム材２，３を重ね合わされて構成されたものである。この包装体１Ａは、包装体１Ａの底縁部、両側縁部及び上縁部よりやや内方の位置にて、両フィルム材２，３同士が一定の幅で密着されてなる密着部４，５，６を有し、この密着部４，５，６の内側が、物品Ｍを収容する収容部９として形成されている。
【００１７】
また、包装体１Ａの４辺の内、その一部をなす上縁には、包装体１Ａを開封させるための開封開始部１０が設けられている。この開封開始部１０は、包装体１Ａを構成しているフィルム材２，３の一部であり、密着部６より包装体１Ａの外側に張り出させて構成したものである。この包装体１Ａは、両手で開封開始部１０を構成するフィルム材２，３をそれぞれ摘み、この開封開始部１０からフィルム材２，３相互に引き離して密着部４，５，６を剥離させることで開封させる。このため、開封開始部１０では、フィルム材２，３は密着されることなく相互に独立している。
【００１８】
このように、この包装体１Ａではフィルム材２，３を分離させて開封するため、密着部４，５，６は、易剥離処理が施されている。なお、易剥離処理は、フィルム材２，３同士が密着状態にあるときには、包装体１Ａの密閉性を確保でき、しかも容易にフィルム材２，３同士を剥離させることができるものであれば、その手法に特に限定はなく、凝集剥離タイプ、層間剥離タイプ、界面剥離タイプのいずれのタイプをも採用することができる。
【００１９】
なお、従来から知られている包装体では、重ね合わされるフィルム材のうち一方にのみ易剥離処理がなされるが、この包装体１Ａでは、かかる易剥離処理が重ね合わされるフィルム材２，３のいずれにもなされている。但し、一方のフィルム材のみに易剥離処理を施すことを妨げるものではない。なお、このようにして、重ね合わされるフィルム材の双方に易剥離処理を施すことは、以下のいずれの実施形態にかかる包装体についても同様である。
【００２０】
凝集剥離タイプとは、図４に示すように、シール層７自体が破壊されて分離するタイプであり、双方のフィルム材２，３にシール材がそれぞれ残る。層間剥離タイプとは、図５に示すように、共押し出しで積層フィルム（２，３）を形成し、サポート層８とシール層７の接着強度を低くし、フィルム材２，３が分離される時に、サポート層８とシール層７とが分離されるものである。そして、界面剥離タイプとは、図６に示すように、シール層７全体が一方のフィルム材２にのみ付着され、他方のフィルム材３から分離されるタイプである。かかる界面剥離タイプとしては、ＥＶＡなどの易接着性樹脂を用いる。
【００２１】
もっとも、当該包装体１Ａには、以下に列挙する特性が要求される。
１．無味、無臭、無毒であること。
２．機械適性がよいこと。特に、ヒートシール性（温度・圧力・時間）の適性範囲が広い
こと。
３．トリミング、カット性に優れていること。
４．ゼリー状の物質を含めた流体用の包装体１Ａに適用する場合には、夾雑物シール性が
よいこと。
５．寸法の変化が少ないこと。特に、張りが要求される場合には収縮追従性があること。
６．物品Ｍを包装体１Ａの外部から見せたい場合には、透明性があること。
７．剥離強度が５００〜２０００ｇ／１５ｍｍの範囲で、しかも、用途に応じて個別対応できるように設計できること。
８．剥離強度が加熱殺菌条件や、使用条件などの変化に対しても安定しており、しかも、経時変化しないこと。
９．耐物品性に優れていること。即ち、加熱殺菌時に、物品Ｍに含まれる油脂により、オレンジピール（柚肌）状にならないこと。
１０．開封時にノッキング、ピール音（ピピッという剥離音）がなく、円滑に剥離させることができること。
１１．剥離面に糸引きや薄い膜が残留するフェザリングが起こらず、剥離面がきれいなこと。
といった特性である。
【００２２】
この他にも、印刷フィルムとのラミネートにより、カール発生、ピッチ不良といった不都合な点も避ける必要がある。さらには、包装時における、シール形状・シーラーとの相性についても考慮する必要がある。
【００２３】
かかる包装体１Ａに使用するフィルム材２，３としては、ＰＥＴ１２μｍ／Ａｌ２０μｍ／ＰＥＴ１２μｍ／ＣＰＰ６０μｍとなる積層フィルムを使用する。ＣＰＰ６０μｍは、易剥離処理としてフィルム材２，３の内面に貼り合わされたフィルムである。
【００２４】
以上の包装体１Ａは、図７に示すようにして開封させる。
【００２５】
まず、図７（ａ）に示すように、開封開始部１０を構成しているフィルム材２，３をそれぞれ指で摘み、フィルム材２，３を相互に引き離す。フィルム材２，３を引き離すにつれ、図７（ｂ）に示すように、密着部５，６が剥離され、物品Ｍが表出される。さらに、フィルム材２，３を引き離していくと、図７（ｃ）に示すように、すべての密着部４，５，６が剥離され、フィルム材２，３が完全に分離され、開封が終了する。
【００２６】
ここで、密着部の剥離強度について説明する。
【００２７】
突起部１１，１２を設けない包装体では、開封時のことをも考慮して、約５００〜１５００ｇ／１５ｍｍの強度で剥離されるように密着させなければならい。これに対し当該実施形態にかかる包装体１Ａでは、突起部１１，１２を設けて摘み易くしたことで、開封自体の容易化を図ることに成功している。このため、約２０００ｇ／１５ｍｍで剥離される程度まで剥離強度を高めることができる。このように、剥離強度を高めることにより、高い密閉性を備えた包装体を得ることができる。
【００２８】
さらに、開封し易くなったことにより、開封開始部１０の根元の密着部６から張り出させる長さを短くすることができる。このため、収容部９の容量を維持しつつも、包装体１Ａの長さを短くコンパクトに形成できる。そして、一つの包装体１Ａを完成させるために必要な材料の量を軽減できる。
【００２９】
以上、２枚のフィルム材を重ね合わせて構成した包装体を例に説明したが、図８及び図９に示すように、１枚のフィルム材を折り重ねて包装体を構成してもよい。
【００３０】
この包装体１Ｂは、矩形状の１枚のフィルム材２０をその中央部分で二つ折りして構成したものである。二つ折りの際に形成される折り線２１の部分を包装体１Ｂの底部とし、これと対辺をなす部分を包装体１Ｂの上部としている。そして、この包装体１Ｂは、両側縁部及び上縁部よりやや内方の位置にて、フィルム材の内面同士が一定の幅で密着されてなる密着部２２，２３を有し、折り線２１とこれら密着部２２，２３で囲まれた部分の内側が、物品Ｍを収容する収容部２５として形成されている。
【００３１】
そして、包装体１Ｂの上縁部には、包装体１Ｂを開封させるための開封開始部３０が設けられている。この開封開始部３０も、フィルム材２０の一部であり、密着部２３より包装体１Ｂの外側に張り出させて構成したものである。そして、開封開始部においては、対向するフィルム材２０が密着されることなく相互に独立している。かかる態様の包装体１Ｂについても、密着部２２，２３は、上述のように易剥離処理が施されている。
【００３２】
以上、包装体の外形が矩形に形成されたものを例に説明したが、包装体の外形は、矩形状に形成されたものに限定されない。
【００３３】
例えば、図１０に示すように、包装体１Ｃの底部４１及び上縁をなす開封開始部４５を円弧状に形成させてもよい。また、図１１に示すように、包装体１Ｄの上部に設けられた開封開始部５０をその中心が先細り状となるように形成してもよい。
【００３４】
以上、フィルム材を直線的に張り出させて開封開始部を構成したものを例に説明したが、図１２に示すように、反りを形成しても良い。
【００３５】
この図１２に示す包装体６０は、これまでに説明した包装体と同様に２枚のフィルム材を重ね合わせるか、又は一枚のフィルム材を二つ折りして重ね合わせ、その周縁同士を密着せしめて構成されたものである。開封開始部７０は、重ね合わされたフィルム材６１，６２が密着部６３よりも外側に向け張り出して形成される。この開封開始部７０ではフィルム材６１，６２同士は、密着されることなく相互に独立している。そして、この包装体６０の開封開始部７０では、これらフィルム材６１，６２の先端部７１，７２が相互に遠ざかるように逆方向に向けて湾曲するように反られている。
【００３６】
このように開封開始部７０の先端部７１，７２に反りが設けられることで、開封開始部７０を構成するフィルム材６１，６２をそれぞれ摘みやすく構成することができ、包装体６０を容易に開封することができる。
【００３７】
また、図１３は、開封開始部９０の先端部９１，９２を相互に逆方向に向けて折り曲げた折り曲げ部が設けられたものを示している。この包装体８０についても、開封開始部９０は、包装体８０を構成するフィルム材８１，８２が密着部８３より外側に張り出して、相互に密着されることなく独立している。そして、開封開始部９０を構成しているフィルム材８１，８２は、その先端部９１，９２が相互に逆向きに向けほぼ直角に折り曲げられている。このため、折り曲げられた先端部９１，９２を摘むことで、開封開始部９０にてフィルム材８１，８２を分離させやすくなり、よって、包装袋８０の開封を容易にする。
【図面の簡単な説明】
【００３８】
【図１】本発明の一実施形態にかかる包装体の斜視図。
【図２】図１に示す包装体の縦断面図。
【図３】図２のＡ部を拡大した拡大断面図。
【図４】凝集剥離タイプの易剥離処理をモデル的に示した説明図。
【図５】層間剥離タイプの易剥離処理をモデル的に示した説明図。
【図６】界面剥離タイプの易剥離処理をモデル的に示した説明図。
【図７】包装体を開封させる手順を示す説明図。
【図８】フィルム材を２つ折りして形成した包装体の斜視図。
【図９】図８に示す包装体の縦断面図。
【図１０】上部と底部が円弧状に形成された包装体の斜視図。
【図１１】開封開始部が先細り状に形成された包装体の斜視図。
【図１２】先端部に反りが設けられた開封開始部の拡大断面図。
【図１３】先端部に折り曲げ部が設けられた開封開始部の拡大断面図。
【符号の説明】
【００３９】
１Ａ，１Ｂ，１Ｃ，１Ｄ・・・包装体
６０，８０・・・・・・・・・包装体
２，３，２０・・・・・・・・フィルム材
６１，６２，８１，８２・・・フィルム材
４，５，６・・・・・・・・・密着部
２２，２３・・・・・・・・・密着部
６３，８３・・・・・・・・・密着部
９，２５・・・・・・・・・・収容部
１０，３０，４５，５０・・・開封開始部
７０，９０・・・・・・・・・開封開始部
【図１】
2007197058.tif 000003
【図２】
2007197058.tif 000004
【図３】
2007197058.tif 000005
【図４】
2007197058.tif 000006
【図５】
2007197058.tif 000007
【図６】
2007197058.tif 000008
【図７】
2007197058.tif 000009
【図８】
2007197058.tif 000010
【図９】
2007197058.tif 000011
【図１０】
2007197058.tif 000012
【図１１】
2007197058.tif 000013
【図１２】
2007197058.tif 000014
【図１３】
2007197058.tif 000015